(57)【要約】【課題】ガラス表面の付着物を効果的に取り除くとともにガラス表面をコーティングすることができるガラス洗浄コーティング用シート、ガラス洗浄コーティング用具及びガラス洗浄コーティング用具セットを提供する。【解決手段】ガラス洗浄コーティング用具１０は、アクリル樹脂、酸化セリウム、ダイヤ微粉体・炭化ケイ素、ホワイトアルミナ、シリコーン樹脂及びフッ素樹脂が、特殊ウレタンスポンジに、含有、含浸または付着されることにより形成されているガラス洗浄コーティング用シート１１と、このガラス洗浄コーティング用シート１１と一体的に層状となるように貼り付けられたポリエチレン１２で形成されている。【選択図】図１
0003213761.tif 000002
【実用新案登録請求の範囲】
【請求項１】
自動車、食器などに用いられる各種ガラス、ミラーなどの表面を洗浄及びコーティングするガラス洗浄コーティング用シートであって、
アクリル樹脂、酸化セリウム、ダイヤ微粉体・炭化ケイ素、ホワイトアルミナ、シリコーン樹脂及びフッ素樹脂が、シート状の第１の部材に、含有、含浸または付着されて形成された構成であることを特徴とするガラス洗浄コーティング用シート。
【請求項２】
前記第１の部材は、柔軟性を有する特殊ウレタンスポンジであることを特徴とする請求項１に記載のガラス洗浄コーティング用シート。
【請求項３】
請求項１に記載のガラス洗浄コーティング用シートと、
前記ガラス洗浄コーティング用シートと一体的に層状となるように貼り付けられたシート状の第２の部材を構成とすることを特徴とするガラス洗浄コーティング用具。
【請求項４】
前記ガラス洗浄コーティング用シートの前記第１の部材は、柔軟性を有する特殊ウレタンスポンジであり、前記第２の部材は、ポリエチレンであることを特徴とする請求項３に記載のガラス洗浄コーティング用具。
【請求項５】
前記特殊ウレタンスポンジは、３ｍｍから５ｍｍの厚さであり、前記ポリエチレンは、５ｍｍから１０ｍｍの厚さであることを特徴とする請求項４に記載のガラス洗浄コーティング用具。
【請求項６】
手の平サイズの把持部を有し、
前記把持部は、前記ポリエチレンを覆い手で把持し易いように形成されおり、
前記把持部を把持することで、前記洗浄及びコーティングをするように構成されていることを特徴とする請求項５に記載のガラス洗浄コーティング用具。
【請求項７】
請求項６に記載のガラス洗浄コーティング用具と、マイクロファイバークロスと、を有するガラス洗浄コーティング用具セットであって、
前記ガラス洗浄コーティング用具で擦り落とされた汚れを、前記マイクロファイバークロスで拭き取るように構成されていることを特徴とするガラス洗浄コーティング用具セット。
【考案の詳細な説明】
【技術分野】
【０００１】
本考案は、ガラス洗浄コーティング用シート、ガラス洗浄コーティング用具及びガラス洗浄コーティング用具セットに関する。
【背景技術】
【０００２】
自動車、食器などに用いられる各種ガラス、ミラーなどの表面の付着物を洗浄するものとして、ガラス洗浄パッドを含めガラス洗浄具が普及している（特許文献参照）。
【先行技術文献】
【特許文献】
【０００３】
【特許文献１】特開２０１４−５７９２７号公報
【考案の概要】
【考案が解決しようとする課題】
【０００４】
従来のガラス洗浄具を用いてガラスを洗浄した場合、洗浄するときに水道水を用いることが一般的であるが、この水道水に含有しているミネラルなどの有機物が、ガラスの表面に残留し、そして、乾くことにより、鱗状痕などの汚れとなる。この鱗状痕などの汚れは、容易に取れるものではなく、簡易にこのような汚れを落とせるものが求められている。
【０００５】
そこで本考案は、このような課題を解決するためになされたもので、ガラス表面の付着物を効果的に取り除くとともにガラス表面をコーティングすることができるガラス洗浄コーティング用シート、ガラス洗浄コーティング用具及びガラス洗浄コーティング用具セットを提供するものである。
【課題を解決するための手段】
【０００６】
上記課題を解決するために、本考案に係るガラス洗浄コーティング用シートは、自動車、食器などに用いられる各種ガラス、ミラーなどの表面を洗浄及びコーティングするガラス洗浄コーティング用シートであって、アクリル樹脂、酸化セリウム、ダイヤ微粉体・炭化ケイ素、ホワイトアルミナ、シリコーン樹脂及びフッ素樹脂が、シート状の第１の部材に、含有、含浸または付着されて形成された構成であることを特徴とする。
【０００７】
本考案に係るガラス洗浄コーティング用シートの態様について、前記第１の部材は、柔軟性を有する特殊ウレタンスポンジであることが好ましい。
【０００８】
上記課題を解決するために、本考案に係るガラス洗浄コーティング用具は、前記ガラス洗浄コーティング用シートと、前記ガラス洗浄コーティング用シートと一体的に層状となるように貼り付けられたシート状の第２の部材を構成とすることを特徴とする。
【０００９】
本考案に係るガラス洗浄コーティング用具の態様について、前記ガラス洗浄コーティング用シートの前記第１の部材は、柔軟性を有する特殊ウレタンスポンジであり、前記第２の部材は、ポリエチレンであることが好ましい。
【００１０】
本考案に係るガラス洗浄コーティング用具の態様について、前記特殊ウレタンスポンジは、３ｍｍから５ｍｍの厚さであり、前記ポリエチレンは、５ｍｍから１０ｍｍの厚さであることが好ましい。
【００１１】
本考案に係るガラス洗浄コーティング用具の態様について、手の平サイズの把持部を有し、前記把持部は、前記ポリエチレンを覆い手で把持し易いように形成されており、前記把持部を把持することで、前記洗浄及びコーティングをするように構成されていることが好ましい。
【００１２】
上記課題を解決するために、本考案に係るガラス洗浄コーティング用具セットは、前記ガラス洗浄コーティング用具と、マイクロファイバークロスと、を有するガラス洗浄コーティング用具セットであって、前記ガラス洗浄コーティング用具で擦り落とされた汚れを、前記マイクロファイバークロスで拭き取るように構成されていることを特徴とする。
【考案の効果】
【００１３】
本考案によれば、ガラス表面の付着物を効果的に取り除くとともにガラス表面をコーティングすることができるガラス洗浄コーティング用シート、ガラス洗浄コーティング用具及びガラス洗浄コーティング用具セットを提供することができる。
【図面の簡単な説明】
【００１４】
【図１】実施形態のガラス洗浄コーティング用シート及びガラス洗浄コーティング用具を示す模式図である。
【図２】ガラス洗浄コーティング用具の使用を示す参考図である。
【考案を実施するための形態】
【００１５】
以下、本考案の実施形態を、図１及び図２を用いて説明する。
【００１６】
まず、実施形態のガラス洗浄コーティング用シート１１について説明する。ガラス洗浄コーティング用シート１１は、自動車、食器などに用いられる各種ガラス、ミラーなどの表面を洗浄及びコーティングするように構成されており、アクリル樹脂、酸化セリウム、ダイヤ微粉体・炭化ケイ素、ホワイトアルミナ、シリコーン樹脂及びフッ素樹脂が、シート状の第１の部材の一例である柔軟性を有する特殊ウレタンスポンジに、含有、含浸または付着されることにより形成されている。このように形成されている洗浄コーティング用シート１１は、洗剤を用いる必要がなく、少量の水を表面に含ませることにより顕著な洗浄能力及びコーティング能力を有するものである。
【００１７】
上記の第１の部材の一例である柔軟性を有する特殊ウレタンスポンジは、ウレタン樹脂発泡品で、のびや強度に優れたものであり、目が細かく乳化した部材を含浸しやすく良好に保持できるものであり、本実施形態に採用しているが、第１の部材はこれに限定されず、適宜最適なものを選択するとよい。
【００１８】
ガラス洗浄コーティング用シート１１は、上記のとおりアクリル樹脂、酸化セリウム、ダイヤ微粉体・炭化ケイ素、ホワイトアルミナ、シリコーン樹脂及びフッ素樹脂が、含浸などされており、これらについて説明する。なお、これらを用いる方法及び配分については、適宜最適なものにするとよい。
【００１９】
アクリル樹脂は、一般には幅広く食品ケースなどに使用されており固化されており有害なものではなく、バインダーとしての機能を有するものである。酸化セリウムは、主としてガラスレンズ、スマートフォーン、液晶画面などに使用されている鉱物であり古くからガラスを磨くものとして使用されており、安全性の高い物質であり、化学機械研磨の機能を有するものである。炭化ケイ素及びホワイトアルミナは、各種研磨剤としてサンドぺーパーなどに使用されており安全性に問題のないセラミックであり、物理的研磨の機能を有するものである。シリコーン樹脂は、食品の消泡剤、化粧品などに使用されており安全性に問題のないものであり、不揮発性で滑りをよくするものである。フッ素樹脂は、フライパンの焦げ付き防止など食品加工機に使用されており安全性に問題のないものであり、ガラスの表面を保護する膜としての機能を有するものである。
【００２０】
上記のアクリル樹脂、酸化セリウムなどが、含浸などされているガラス洗浄コーティング用シート１１は、柔軟性があることにより、湾曲面を有するワイングラスなどの洗浄に適している。また、ガラス洗浄コーティング用シート１１は、指で押さえる領域に、滑り止め機能を有するシートを貼り付けておくことが望ましく、このようにすることで、指がシート面で滑ることなく効果的に洗浄することができる。
【００２１】
次に、実施形態のガラス洗浄コーティング用具１０について説明する。ガラス洗浄コーティング用具１０は、ガラス洗浄コーティング用シート１１と、このガラス洗浄コーティング用シート１１と一体的に層状となるように貼り付けられたシート状の第２の部材の一例であるポリエチレン１２で形成されている。ポリエチレン１２は、水分をはじくものであるが、第２の部材としてはこれに限定されず、適宜最適な部材を選択すればよい。
【００２２】
また、ガラス洗浄コーティング用シート１１は、３ｍｍから５ｍｍの厚さであることが望ましく、また、ポリエチレン１２は、５ｍｍから１０ｍｍの厚さであることが望ましい。
【００２３】
実施形態のガラス洗浄コーティング用具は、上記の構成に加え、手の平サイズの把持部１３を具えてもよい。この把持部１３は、ポリエチレン１２を覆い手で把持し易いように形成されており。この把持部１３を把持し、ガラス洗浄コーティング用シート１１を用いて、洗浄及びコーティングをするように構成されている。このような構成のガラス洗浄コーティング用具１０は、自動車のガラス、ミラーなどの平らな表面の洗浄及びコーティングに適している。
【００２４】
次に、ガラス洗浄コーティング用具セットについて説明する。ガラス洗浄コーティング用具セットは、上記のガラス洗浄コーティング用具１０と、図示されていないマイクロファイバークロスが、組み合わされたものである。このような組み合わせにより、ガラス洗浄コーティング用具１０で擦り落とされた汚れを、マイクロファイバークロスで拭き取ることができる構成とすることができる。なお、マイクロファイバークロスについての詳細な説明は省略する。
【００２５】
ガラス洗浄コーティング用具１０の使用の一例としては、特殊ウレタンスポンジにアクリル樹脂、酸化セリウム、ダイヤ微粉体・炭化ケイ素、ワイトアルミナ、シリコーン樹脂及びフッ素樹脂が、含浸され、固化されているガラス洗浄コーティング用シート１１に、小量の水分をスプレーし、ガラスの表面を擦ることで、ガラスの汚れをきれいに落とすことができるとともにガラスの表面をコーティングする。
【００２６】
すなわち、洗剤などを用いても完全に取り除くことができないガラス表面に付着しているカルシウム、マグネシウムなどの汚れを、微細研磨剤である酸化セリウム、ホワイトアルミナなどを用いて、きれいに擦り落とすことができる。
【００２７】
そして、汚れを擦り落とすと同時に、フッ素樹脂及びシリコーンが、ガラスの表面に転写されコーティングされることになる。なお、フッ素樹脂及びシリコーンは、超微量でコーティングできることにより、ガラス洗浄コーティング用シート１１を用いて繰り返し洗浄及びコーティングを行うことができる。
【００２８】
以上、本考案の有する特徴及び優れた点を上記実施形態に記載したが、本考案は、本考案の原理の範囲内で、本願の実用新案登録請求の範囲で使用されている言葉を広く一般的な意味にまで広げて実施することができる。
【００２９】
また、本考案のガラス洗浄コーティング用シート、ガラス洗浄コーティング用具及びガラス洗浄コーティング用具セットの大きさや形状、素材の厚さ、重さなどについては多様な実施形態が可能であり、それらについて本実施形態と異なる形態による実施は、本考案の技術的範囲に含まれる。
【符号の説明】
【００３０】
１０      ガラス洗浄コーティング用具
１１      ガラス洗浄コーティング用シート
１２      ポリエチレン
１３      把持部
【図１】
0003213761.tif 000003
【図２】
0003213761.tif 000004